(57)【要約】【課題】  印刷可能なディスク型記録媒体が正しく装着されないことに起因するインク汚染を防止すること。【解決手段】  印刷装置２の印刷手段２３は、当該印刷装置２に装着されたディスク型記録媒体４に対して印刷を実行する。判断手段２３は、装着されたディスク型記録媒体４の印刷手段２３により印刷される面が、印刷可能な面であるか否かを判断する。印刷中止手段２３は、判断手段２３により印刷手段２３により印刷される面が印刷可能な面ではないと判断された場合に、印刷手段２３による印刷を中止する。【選択図】  図１
2006255906.tif 000002
【特許請求の範囲】
【請求項１】
当該印刷装置に装着されたディスク型記録媒体に対して印刷を実行する印刷手段と、
上記装着されたディスク型記録媒体の上記印刷手段により印刷される面が、印刷可能な面であるか否かを判断する判断手段と、
上記判断手段により上記印刷手段により印刷される面が印刷可能な面ではないと判断された場合に、上記印刷手段による印刷を中止させる印刷中止手段と、
を有することを特徴とする印刷装置。
【請求項２】
前記判断手段により前記印刷手段により印刷される面が印刷可能な面ではないと判断された場合に、警告を報知する警告手段を有することを特徴とする請求項１記載の印刷装置。
【請求項３】
当該印刷装置に装着されたディスク型記録媒体の前記印刷手段により印刷される面へ光を照射しその反射光を検出する光学センサを有し、
前記判断手段は、上記光学センサによる検出レベルに基づいて、その光学センサにより検出した面が印刷可能な面であるか否かを判断すること、
を特徴とする請求項１または２記載の印刷装置。
【請求項４】
前記判断手段は、当該印刷装置に装着されているディスク型記録媒体の前記印刷手段により印刷される面が、印刷可能なディスク型記録媒体の面、ディスク型記録媒体のデータ記録面および印刷可能でないディスク型記録媒体のラベル面の中のいずれであるかを、前記光学センサの検出レベルの違いに基づいて判断することを特徴とする請求項３記載の印刷装置。
【請求項５】
前記光学センサは、少なくとも印刷可能か否かに応じて異なる態様を有するマークの検出を、ディスク型記録媒体の所定の位置にて実行し、
前記判断手段は、前記光学センサによる検出結果に基づいて、前記印刷手段により印刷される面が印刷可能な面であるか否かを判断すること、
を特徴とする請求項３または４記載の印刷装置。
【請求項６】
前記判断手段は、前記光学センサによる検出レベルが、つや消しの白色のインク受容層が形成された面による所定の検出レベルである場合には、前記装着されたディスク型記録媒体の前記印刷手段により印刷される面が印刷可能な面であると判断することを特徴とする請求項３記載の印刷装置。
【請求項７】
前記判断手段は、前記光学センサによる検出結果に基づき、前記印刷手段により印刷される面が印刷可能な面であるか否かを判断できない場合に、少なくもと印刷可能か否かに応じて異なる態様を有するマークの検出を、ディスク型記録媒体の所定の位置にて実行することを特徴とする請求項３記載の印刷装置。
【請求項８】
前記印刷手段は、印刷制御データを供給されると、その印刷制御データに基づいて印刷を実行し、
前記判断手段は、前記印刷手段に対して印刷制御データが供給されると、印刷開始前に、印刷される面が印刷可能な面であるか否かを判断すること、
を特徴とする請求項１から７の中のいずれか１項記載の印刷装置。
【請求項９】
当該印刷装置にディスク型記録媒体を装着する際に操作される操作手段を有し、
前記印刷手段は、上記操作手段が操作されると、印刷開始前に、印刷される面が印刷可能な面であるか否かを判断すること、
を特徴とする請求項１から７の中のいずれか１項記載の印刷装置。
【請求項１０】
円板形状の透明な基板と、
上記基板の一方の面に形成されたデータ記録面と、
上記円板の中心に形成されるチャッキング孔と、
少なくとも当該ディスク型記録媒体の他方の面が印刷可能であるか否かに応じて異なる態様にて上記基板に形成されるマークと、
を有することを特徴とするディスク型記録媒体。
【請求項１１】
印刷装置に装着されたディスク型記録媒体の印刷される面が印刷可能な面か否かを判断するステップと、
装着されたディスク型記録媒体の印刷される面が印刷可能な面ではない場合に、その装着されたディスク型記録媒体に対する印刷を中止するステップと、
を有することを特徴とする印刷方法。
【発明の詳細な説明】
【技術分野】
【０００１】
本発明は、印刷装置、ディスク型記録媒体および印刷方法に関する。
【背景技術】
【０００２】
特許文献１は、ＣＤ−Ｒ（Ｃｏｍｐａｃｔ  Ｄｉｓｋ  Ｒｅｃｏｒｄａｂｌｅ）等の媒体に印刷を行う印刷制御装置を開示する。
【０００３】
【特許文献１】特開２００４−２３７５５４号公報（要約、明細書など）
【発明の開示】
【発明が解決しようとする課題】
【０００４】
ユーザは、特許文献１の印刷制御装置などの印刷装置に対して、印刷可能なＣＤ−Ｒなどの印刷可能なディスク型記録媒体を正しく装着しないことがある。たとえば、ユーザは、印刷装置に、印刷可能なディスク型記録媒体をそのデータ記録面が印刷される側となる姿勢で装着してしまうことがある。この他にもたとえば、ユーザは、印刷装置に、印刷可能でないディスク型記録媒体を装着してしまうことがある。
【０００５】
これらの場合のように印刷装置に、印刷可能なディスク型記録媒体が正しく装着されていない状態で印刷処理を実行してしまうと、そのディスク型記録媒体へ吐出されたインクは、ディスク型記録媒体の表面に付着するが、ディスク型記録媒体に定着しない。その結果、その印刷がなされたディスク型記録媒体、その印刷に使用したディスク型記録媒体を収容するトレイや印刷装置の内部などが、その定着しないインクによって汚染されてしまうことになる。
【０００６】
本発明は、印刷可能なディスク型記録媒体が正しく装着されないことに起因するインク汚染を防止する印刷装置、ディスク型記録媒体および印刷方法を得ることを目的とする。
【課題を解決するための手段】
【０００７】
本発明に係る印刷装置は、当該印刷装置に装着されたディスク型記録媒体に対して印刷を実行する印刷手段と、装着されたディスク型記録媒体の印刷手段により印刷される面が、印刷可能な面であるか否かを判断する判断手段と、判断手段により印刷手段により印刷される面が印刷可能な面ではないと判断された場合に、印刷手段による印刷を中止させる印刷中止手段と、を有するものである。
【０００８】
この構成を採用すれば、印刷される面が印刷可能な面ではない場合には印刷が実行されない。その結果、印刷装置に、印刷可能なディスク型記録媒体が正しく装着されていないときの、ディスク型記録媒体などのインク汚染を防止することができる。
【０００９】
本発明に係る印刷装置は、上述した発明の構成に加えて、判断手段により印刷手段により印刷される面が印刷可能な面ではないと判断された場合に、警告を報知する警告手段を有するものである。
【００１０】
この構成を採用すれば、ユーザは、報知される警告に基づいて印刷が中止されたことを知ることができる。
【００１１】
本発明に係る印刷装置は、上述した発明の各構成に加えて、当該印刷装置に装着されたディスク型記録媒体の印刷手段により印刷される面へ光を照射しその反射光を検出する光学センサを有し、判断手段が、光学センサによる検出レベルに基づいて、その光学センサにより検出した面が印刷可能な面であるか否かを判断するものである。
【００１２】
この構成を採用すれば、印刷装置に装着されている印刷対象のディスク型記録媒体について、印刷手段により印刷される面の表面処理の種類を簡単な構成で検出することができる。
【００１３】
本発明に係る印刷装置は、上述した発明の各構成に加えて、判断手段が、当該印刷装置に装着されているディスク型記録媒体の印刷手段により印刷される面が、印刷可能なディスク型記録媒体の面、ディスク型記録媒体のデータ記録面および印刷可能でないディスク型記録媒体のラベル面の中のいずれであるかを、光学センサの検出レベルの違いに基づいて判断するものである。
【００１４】
この構成を採用すれば、ディスク型記録媒体のデータ記録面と、印刷可能でないディスク型記録媒体のラベル面に対して印刷が実行されずに済む。
【００１５】
本発明に係る印刷装置は、上述した発明の各構成に加えて、光学センサが、少なくとも印刷可能か否かに応じて異なる態様を有するマークの検出を、ディスク型記録媒体の所定の位置にて実行し、判断手段が、光学センサによる検出結果に基づいて、印刷手段により印刷される面が印刷可能な面であるか否かを判断するものである。
【００１６】
この構成を採用すれば、マークの態様に基づいて、装着されたディスク型記録媒体が印刷可能なものであるか否を正確に判断することができる。
【００１７】
本発明に係る印刷装置は、上述した発明の各構成に加えて、判断手段が、光学センサによる検出レベルが、つや消しの白色のインク受容層が形成された面による所定の検出レベルである場合には、装着されたディスク型記録媒体の印刷手段により印刷される面が印刷可能な面であると判断するものである。
【００１８】
この構成を採用すれば、印刷手段により印刷される面が、つや消しの白色のインク受容層を有する面である場合には、印刷手段により印刷を確実に実行することができる。
【００１９】
本発明に係る印刷装置は、上述した発明の各構成に加えて、判断手段が、光学センサによる検出結果に基づき、印刷手段により印刷される面が印刷可能な面であるか否かを判断できない場合に、少なくもと印刷可能か否かに応じて異なる態様を有するマークの検出を、ディスク型記録媒体の所定の位置にて実行するものである。
【００２０】
この構成を採用すれば、印刷手段により印刷される面が、銀色のインク受容層を有する印刷可能な面であっても、印刷手段により印刷を確実に実行することができる。
【００２１】
本発明に係る印刷装置は、上述した発明の各構成に加えて、印刷手段が、印刷制御データを供給されると、その印刷制御データに基づいて印刷を実行し、判断手段が、印刷手段に対して印刷制御データが供給されると、印刷開始前に、印刷される面が印刷可能な面であるか否かを判断するものである。
【００２２】
この構成を採用すれば、印刷開始前に、印刷可能なディスク型記録媒体の印刷面が正しく配置されているか否かが自動的に判断されるため、装着されているディスク型記録媒体に対して、誤った印刷をしないようにすることができる。
【００２３】
本発明に係る印刷装置は、上述した発明の各構成に加えて、当該印刷装置にディスク型記録媒体を装着する際に操作される操作手段を有し、印刷手段が、操作手段が操作されると、印刷開始前に、印刷される面が印刷可能な面であるか否かを判断するものである。
【００２４】
この構成を採用すれば、印刷装置にディスク型記録媒体を装着する時に、印刷可能なディスク型記録媒体の印刷面が正しく配置されるか否かが自動的に判断されるため、装着されているディスク型記録媒体に対して、誤った印刷をしないようにすることができる。
【００２５】
本発明に係るディスク型記録媒体は、円板形状の透明な基板と、基板の一方の面に形成されたデータ記録面と、円板の中心に形成されるチャッキング孔と、少なくとも当該ディスク型記録媒体の他方の面が印刷可能であるか否かに応じて異なる態様にて基板に形成されるマークと、を有するものである。
【００２６】
この構成を採用すれば、ディスク型記録媒体に印刷をする印刷装置は、マークに基づき、印刷可能なディスク型記録媒体が正しく配置されていないときには印刷を止めることができ、そのディスク型記録媒体などのインク汚染を防止することができる。
【００２７】
本発明に係る印刷方法は、印刷装置に装着されたディスク型記録媒体の印刷される面が印刷可能な面か否かを判断するステップと、装着されたディスク型記録媒体の印刷される面が印刷可能な面ではない場合に、その装着されたディスク型記録媒体に対する印刷を中止するステップと、を有するものである。
【００２８】
この方法を採用すれば、印刷される面が印刷可能な面ではない場合には、印刷が実行されない。その結果、印刷装置に、印刷可能なディスク型記録媒体が正しく装着されていないときの、ディスク型記録媒体などのインク汚染を防止することができる。
【発明を実施するための最良の形態】
【００２９】
以下、本発明の実施の形態に係る印刷装置、ディスク型記録媒体および印刷方法を、図面に基づいて説明する。印刷装置は、コンピュータと接続されるプリンタを例として説明する。印刷方法は、印刷装置の動作を例として説明する。
【００３０】
実施の形態１．
図１は、本発明の実施の形態１に係る印刷システムを示すブロック図である。実施の形態１に係る印刷システムは、印刷制御データ生成装置としてのコンピュータ１と、印刷装置としてのプリンタ２と、これらを接続するケーブル３と、を有する。なお、コンピュータ１とプリンタ２とは、無線通信により接続されていてもよい。
【００３１】
プリンタ２は、Ａ４などの単票の紙媒体に印刷したり、ＣＤ−Ｒ、ＤＶＤ−Ｒ（Ｄｉｇｉｔａｌ  Ｖｅｒｓａｔｉｌｅ  Ｄｉｓｃ  Ｒｅｃｏｒｄａｂｌｅ）などのディスク型記録媒体（以下、単にディスクと記載する。）４に対して印刷したりする。
【００３２】
図２は、図１のプリンタ２が印刷可能なディスク４Ａの一例を示す図である。図２（Ａ）は、印刷可能なディスク４Ａの印刷面である。図２（Ｂ）は、印刷可能なディスク４Ａのデータ記録面である。図３は、印刷可能でないディスク４Ｂのラベル面の一例を示す図である。
【００３３】
これらのディスク４は、円板形状に形成される透明なポリカーボネイト製の基板５１の中心に円形状のチャッキング孔５２を形成したものである。チャッキング孔５２は、図示外のディスクドライブの駆動軸が嵌め込まれる。チャッキング孔５２の周囲には、ドーナツ形状のチャッキング領域５３が形成される。ディスク４の一方の面は、図２（Ｂ）に示すように、データ記録面であり、データの記憶領域５４になる（図２（Ｂ）の斜線部分）。データ記録面は、つやの有る略銀色を有する。
【００３４】
図２（Ａ）に示す印刷可能なディスク４Ａの印刷面には、つや消しの白色の材料からなるインク受容層５５が形成される（図２（Ａ）の斜線部分）。インク受容層５５では、プリンタ２が吐出するインクが定着する。インク受容層５５が形成されている領域が、印刷範囲となる。これにより、インク受容層５５に印刷が可能となる。インク受容層５５が形成されていないチャッキング領域５３は、基板５１が露出しており、透明である。
【００３５】
図３に示す印刷可能でないディスク４Ｂのラベル面には、ラベル部５７が形成される。ラベル部５７には、そのディスク４Ｂに記録されたデータに関連する情報や、そのディスク４Ｂの提供元などに関する情報が予め印刷される。ラベル部５７が形成されていないチャッキング領域５３は、基板５１が露出しており、透明である。
【００３６】
図１に戻り、プリンタ２は、ディスク４に対して印刷するための印刷機構として、プリンタ２の図示外の筐体と脱着可能なディスク搬送トレイ１１と、このディスク搬送トレイ１１を送る送りローラ１２と、送りローラ１２などを回転駆動する送りモータ１３と、キャリッジ１４と、キャリッジ１４を送りローラ１２の軸方向に沿って往復運動させるキャリッジモータ１５と、を有する。
【００３７】
図４は、図１のディスク搬送トレイ１１を示す正面図である。ディスク搬送トレイ１１は、たとえばＡ４サイズなどの四角形に形成されたトレイ本体６１を有する。トレイ本体６１は、反射率が低いたとえば黒色の材料にて形成される。トレイ本体６１の上面中央部には、ドーナツ形状の凹部６２が形成される。ドーナツ形状の凹部６２の外周は、ディスク４の外周より一回り大きく形成される。ドーナツ形状の凹部６２の中心には、嵌合凸部６３が形成される。嵌合凸部６３には、その反射率が所定の高い反射率となるようにたとえば銀色の反射部材が貼着されている。また、嵌合凸部６３は、プリンタ２により印刷可能なディスク４の後述するチャッキング孔５２が嵌合する所定のサイズの円柱形状に形成される。ディスク４のチャッキング孔５２にこの嵌合凸部６３が嵌合することで、ディスク４は、ディスク搬送トレイ１１に固定される。このディスク搬送トレイ１１がプリンタ２に装着されることで、ディスク４は、プリンタ２に装着される。
【００３８】
図１に戻り、キャリッジ１４は、イエロー、マゼンタ、シアンなどといった所定の複数の色のインクを収容するカラーインクカートリッジ１６と、ブラックインクを収容するブラックインクカートリッジ１７と、が脱着可能に取り付けられる。キャリッジ１４の図示せぬプラテン側の部位には、図示外のインク吐出用ヘッドが形成される。インク吐出用ヘッドには、図示外の多数のインクジェットノズルが開設される。各インクジェットノズルの内側には、図示外のピエゾ素子が配設される。ピエゾ素子は、それに印加される電圧に応じて変形する素子である。ピエゾ素子が電圧により変形することで、その変形量に応じた量のインクがインクジェットノズルから吐出される。
【００３９】
なお、キャリッジ１４には、カラーインクカートリッジ１６の代わりに、インク色毎のカートリッジが脱着可能に取り付けられるものであってもよい。また、これらのカートリッジに収容されるインクの色は、イエロー、マゼンタ、シアン、ブラック以外の色であってもよい。このような色としては、たとえばライトイエロー、ライトマゼンタ、ライトシアン、クリア（無色）などがある。
【００４０】
また、キャリッジ１４には、光学センサとしての反射式光学センサ１８が設けられる。反射式光学センサ１８は、図示外の発光素子および受光素子を有する。発光素子は、プラテン側へ光を発光する。受光素子は、このプラテン側に位置する紙やディスク４などによる反射光や、ディスク搬送トレイ１１による反射光を受光し、受光光量に応じたレベルのレベル信号を出力する。
【００４１】
プリンタ２は、この他にも、通信Ｉ／Ｆ（ＩｎｔｅｒＦａｃｅ）２１と、通信バッファ２２と、印刷手段、判断手段、印刷中止手段および警告手段としての制御部２３と、操作パネル２４と、液晶モニタ２５と、を有する。
【００４２】
プリンタ２の通信Ｉ／Ｆ２１には、ケーブル３が接続される。通信Ｉ／Ｆ２１は、ケーブル３を介してコンピュータ１から受信したデータを、取得したデータとして通信バッファ２２に保存する。通信Ｉ／Ｆ２１は、通信バッファ２２に保存されている送信データを、ケーブル３を介してコンピュータ１へ送信する。
【００４３】
制御部２３は、操作パネル２４からの入力信号や通信バッファ２２に保存された受信データを取得し、これらの信号やデータに基づいて、送りモータ１３、キャリッジモータ１５および複数のピエゾ素子へ制御信号を出力する。これにより、制御部２３は、プリンタ２に装着されたディスク４などの媒体に対して印刷をする。また、制御部２３は、反射式光学センサ１８を制御し、プリンタ２に装着されたディスク４の表面処理を読み取り、その読み取りに応じた制御を実行する。
【００４４】
図５は、図１のコンピュータ１のハードウェア構成を示すブロック図である。コンピュータ１は、中央処理装置（ＣＰＵ：Ｃｅｎｔｒａｌ  Ｐｒｏｃｅｓｓｉｎｇ  Ｕｎｉｔ）７１と、ＲＡＭ（Ｒａｎｄｏｍ  Ａｃｃｅｓｓ  Ｍｅｍｏｒｙ）７２と、記憶デバイス７３と、入出力ポート７４と、これらを接続するシステムバス７５と、を有する。入出力ポート７４には、画像を表示するＣＲＴ（Ｃａｔｈｏｄｅ  Ｒａｙ  Ｔｕｂｅ）などのモニタ３１と、キーボード３２と、通信Ｉ／Ｆ３３と、が接続される。
【００４５】
コンピュータ１の通信Ｉ／Ｆ３３には、ケーブル３が接続される。通信Ｉ／Ｆ３３は、ケーブル３を介してプリンタ２の通信Ｉ／Ｆ２１との間で通信データを送受する。
【００４６】
記憶デバイス７３は、たとえばフラッシュメモリ、ＨＤＤ（Ｈａｒｄ  Ｄｉｓｋ  Ｄｒｉｖｅ）などの記憶手段であり、たとえば、複数の画像ファイル７６、印刷アプリケーションプログラム７７、プリンタドライバプログラム７８などを記憶する。なお、印刷アプリケーションプログラム７７は、コンピュータ１のＯＳ（オペレーティングシステム）上で実行されるアプリケーションプログラムの一種である。
【００４７】
中央処理装置７１は、記憶デバイス７３に記憶されるプログラムをＲＡＭ７２に読み込んで実行する。中央処理装置７１が印刷アプリケーションプログラム７７を実行することで、図１に示すように、印刷アプリケーション部３５が実現される。中央処理装置７１がプリンタドライバプログラム７８を実行することで、プリンタドライバ部３６が実現される。
【００４８】
画像ファイル７６は、画像データを保持する。画像データを保持する画像ファイル７６としては、たとえば、ＥＸＩＦ（Ｅｘｃｈａｎｇｅａｂｌｅ  Ｉｍａｇｅ  Ｆｉｌｅ  Ｆｏｒｍａｔ）画像ファイルがある。ＥＸＩＦ画像ファイルは、画像データを、ＪＰＥＧ（Ｊｏｉｎｔ  Ｐｈｏｔｏｇｒａｐｈｉｃ  Ｅｘｐｅｒｔｓ  Ｇｒｏｕｐ）形式のデータとして保持する。
【００４９】
印刷アプリケーション部３５は、モニタ３１およびキーボード３２により実現されるＧＵＩ（Ｇｒａｐｈｉｃａｌ  Ｕｓｅｒ  Ｉｎｔｅｒｆａｃｅ）に従って、印刷する画像などを選択する。また、印刷アプリケーション部３５は、ユーザの操作に基づいて印刷する紙やディスク４などの媒体を選択した上で、プリンタドライバ部３６に、選択した画像の印刷を指示する。
【００５０】
プリンタドライバ部３６は、印刷指示に基づく印刷をプリンタ２に実行させるための印刷制御データを生成する。プリンタドライバ部３６は、生成した印刷制御データを、コンピュータ１の通信Ｉ／Ｆ３３へ供給する。
【００５１】
次に、実施の形態１に係る印刷システムの動作を説明する。以下の説明では、ディスク４に対して印刷する場合を例に動作を説明する。
【００５２】
コンピュータ１の印刷アプリケーション部３５は、記憶デバイス７３に記憶されている画像ファイル７６の画像データによる画像をモニタ３１に表示させる。
【００５３】
モニタ３１に画像が表示されている状態において、ユーザは、キーボード３２を操作する。キーボード３２は、ユーザ操作に応じた入力データを出力する。印刷アプリケーション部３５は、画像の選択操作の入力データに基づいて、モニタ３１に表示している画像の中から、印刷する画像を選択する。画像を選択した後、印刷アプリケーション部３５は、印刷条件の設定画面をモニタ３１に表示する。
【００５４】
図６は、図１のモニタ３１に表示される印刷条件の設定画面である。この印刷条件の設定画面は、選択されている媒体を表示する選択ボックス８１と、プルダウンボタン８２と、印刷開始ボタン８３と、を有する。
【００５５】
ユーザがキーボード３２などを使用してプルダウンボタン８２を操作すると、印刷アプリケーション部３５は、印刷可能な媒体のタイプのリストを、選択ボックス８１の下に表示する。図６では、Ａ４、Ｂ５、ディスクの３つの媒体のリストが表示されている。
【００５６】
たとえば、ユーザがその媒体リストの中からディスクを選択すると、印刷アプリケーション部３５は、媒体リストの表示を止めて、図６に示すように、選択ボックス８１に選択された媒体名「ディスク」を表示する。
【００５７】
選択ボックス８１に所望のタイプの媒体名が表示されている状態で、ユーザが印刷開始ボタン８３を操作すると、キーボード３２からの入力データに基づいて、印刷アプリケーション部３５は、選択した画像を選択した媒体に印刷する印刷指示を、プリンタドライバ部３６へ供給する。
【００５８】
印刷指示が供給されると、プリンタドライバ部３６は、まず、印刷イメージを生成する。プリンタドライバ部３６は、印刷アプリケーション部３５により選択された媒体のタイプに応じた印刷範囲の形状およびサイズを特定し、その印刷範囲に一致する形状およびサイズの印刷イメージのデータを生成する。
【００５９】
印刷アプリケーション部３５により「ディスク」が選択された場合、プリンタドライバ部３６は、その「ディスク」と予め対応付けられている図２（Ａ）のディスク４Ａの印刷範囲の情報に基づいて印刷範囲（斜線の部分）の形状およびサイズを特定し、その印刷範囲に一致する形状およびサイズの印刷イメージを生成する。
【００６０】
印刷イメージを生成した後、プリンタドライバ部３６は、印刷制御データを生成する。具体的には、プリンタドライバ部３６は、生成した印刷イメージの色成分を、プリンタ２が印刷可能なインク色成分へ変換する色変換処理と、各インク色のイメージを、印刷するドット単位の印刷有無データへ変換するハーフトーン処理と、ドット単位の印刷有無データを、プリンタ２が印刷する順番に並べ替えるインターレース処理とを実行し、印刷制御データを生成する。プリンタドライバ部３６は、生成した印刷制御データを、コンピュータ１の通信Ｉ／Ｆ３３へ供給する。
【００６１】
コンピュータ１の通信Ｉ／Ｆ３３は、供給された印刷制御データを、ケーブル３を介して、プリンタ２の通信Ｉ／Ｆ２１へ送信する。プリンタ２の通信Ｉ／Ｆ２１は、受信した印刷制御データを通信バッファ２２に保存する。
【００６２】
図７は、図１の制御部２３の動作を示すフローチャートである。
【００６３】
通信バッファ２２に印刷制御データが保存されると、プリンタ２の制御部２３は、この印刷制御データを読み込み、印刷制御データに基づく印刷処理を開始する（ステップＳＴ１）。
【００６４】
印刷制御データを読み込んだ後、制御部２３は、プリンタ２に装着されたディスク４の読み取り処理を実行する（ステップＳＴ２）。具体的には、制御部２３は、まず、プリンタ２にディスク搬送トレイ１１が装着されていることを確認した上で、キャリッジモータ１５を駆動し、キャリッジ１４の反射式光学センサ１８をディスク搬送トレイ１１の略中央部（図１の一点鎖線）より若干ずれた所定の位置（図１を参照）に配置する。次に、制御部２３は、送りローラ１２を回転駆動させつつ、反射式光学センサ１８の受光素子の出力レベルを蓄積する。受光素子は、ディスク搬送トレイ１１およびディスク４を、図１の一点鎖線に沿った方向で走査する。
【００６５】
ディスク搬送トレイ１１のドーナツ形状の凹部６２に相当する範囲についての出力レベルを蓄積したら、制御部２３は、その蓄積した出力レベルに基づいて、プリンタ２に、印刷可能なディスク４Ａの印刷面が正しく装着されているか否かを判断する。つまり、制御部２３は、プリンタ２に装着されたディスク４の印刷される面が、ディスク４Ａの印刷可能な印刷面であるか否かを判断する。
【００６６】
図８は、図２（Ａ）の印刷可能なディスク４Ａの印刷面を走査した場合の受光レベルの分布を示す図である。図９は、図２（Ｂ）の印刷可能なディスク４Ａのデータ記録面を走査した場合の受光レベルの分布を示す図である。図１０は、図３の印刷可能でないディスク４Ｂのラベル面を走査した場合の受光レベルの分布を示す図である。
【００６７】
図８から図１０に示すように、ディスク４Ａの印刷面の印刷範囲（Ｐ１〜Ｐ２の範囲と、Ｐ３〜Ｐ４の範囲）での受光レベルは、つや消しの白色のインク受容層５５による反射率に基づくものであり、ディスク４Ａのデータ記録領域５４の受光レベルおよびディスク４Ｂのラベル面の受光レベルより低い。また、ディスク４Ｂのラベル面の受光レベルは、ディスク４Ａのデータ記録領域５４の受光レベルより低い。
【００６８】
制御部２３は、まず、蓄積した出力レベルにおいて印刷範囲内に相当するデータを用いて、そのデータの受光レベルが、インク受容層５５での受光レベルとラベル面での受光レベルとの間の所定のレベルに設定された第一の閾値Ｔｈ１以下であるか否かを判断する（ステップＳＴ３）。
【００６９】
蓄積した出力レベルにおいて印刷範囲内に相当するデータの受光レベルが第一の閾値Ｔｈ１以下である場合、制御部２３は、プリンタ２に、印刷可能なディスク４Ａの印刷面が正しく配置されていると判断し、受信した印刷制御データに基づく印刷を開始する。
【００７０】
制御部２３は、まず、ディスク４の中心位置を演算する（ステップＳＴ４）。図８から図１０のそれぞれの分布において、中央部分は、ディスク搬送トレイ１１の嵌合凸部６３からの反射光の受光レベルである。この受光レベルは、銀色の反射部材の反射率により、所定の略一定のレベルになる。キャリッジ１４の反射式光学センサ１８がディスク搬送トレイ１１の略中央部（図１の一点鎖線）より若干ずれた所定の位置に配置されている場合、この蓄積した出力レベルのデータ中の、その所定のレベルのデータ量は、嵌合凸部６３の直径に相当するデータ量より少ない。受光素子の走査位置がディスク搬送トレイ１１の略中央部（図１の一点鎖線）から離れるほど、その所定のレベルのデータ量は、少なくなる。
【００７１】
制御部２３は、蓄積した出力レベルのデータ中の、その所定のレベルのデータ量に基づいて、検出した嵌合凸部６３の長さ（走査位置での長さ）を特定する。制御部２３は、既知の嵌合凸部６３の直径と、特定した嵌合凸部６３の長さとを比較し、その比較結果に基づいてキャリッジ１４の走査方向における嵌合凸部６３の中心位置を特定する。制御部２３は、また、所定のレベルの中心位置を、ディスク搬送トレイ１１の搬送方向における嵌合凸部６３の中心位置として特定する。これにより、プリンタ２に装着された嵌合凸部６３の中心位置、すなわちディスク４の中心位置が特定される。
【００７２】
プリンタ２に装着されたディスク４の中心位置を特定した後、制御部２３は、ディスク４を印刷開始位置に配置する（ステップＳＴ５）。制御部２３は、特定したディスク４の中心位置の情報に基づいて、送りローラ１２を駆動してプリンタ２に装着されているディスク搬送トレイ１１を搬送し、ディスク４を印刷開始位置に配置する。
【００７３】
その後、制御部２３は、印刷制御データに基づく印刷処理を開始する（ステップＳＴ６）。この印刷処理により、インク受容層５５には、印刷イメージに従ってインクが付着し、定着する。これにより、ディスク４には、印刷イメージが形成される。図２（Ａ）に示すディスク４Ａの印刷面には、そのインク受容層５５に、印刷イメージに基づく画像が印刷される。
【００７４】
一方、ステップＳＴ３の判断において、プリンタ２に装着されたディスク４の印刷される面が、ディスク４Ａの印刷可能な面ではないと判断した場合、制御部２３は、さらに、そのデータの受光レベルが第二の閾値Ｔｈ２以下であるか否かを判断する（ステップＳＴ７）。第二の閾値Ｔｈ２は、図９および図１０に示すように、ディスク４Ａのデータ記録面での受光レベルとディスク４Ｂのラベル面での受光レベルとの間の所定のレベルに設定される。
【００７５】
ステップＳＴ７において印刷範囲内に相当するデータの受光レベルが第二の閾値Ｔｈ２以下である場合、制御部２３は、プリンタ２に装着されているディスク４が印刷可能なものではない旨のメッセージを生成し、液晶モニタ２５に出力する。液晶モニタ２５は、プリンタ２に装着されているディスク４が印刷可能なものではない旨のメッセージを表示する（ステップＳＴ８）。制御部２３は、印刷制御データに基づく印刷処理を実行することなく、その制御を終了する。ユーザは、この警告のメッセージに基づいて、誤ったディスク４をプリンタ２に装着していることを知ることができる。また、ユーザは、ディスク４を差し替えて、印刷をすることができる。
【００７６】
ステップＳＴ７において印刷範囲内に相当するデータの受光レベルが第二の閾値Ｔｈ２以下でない場合、制御部２３は、プリンタ２に装着されているディスク４の表裏が逆である旨のメッセージを生成し、液晶モニタ２５に出力する。液晶モニタ２５は、プリンタ２に装着されているディスク４の表裏が逆である旨のメッセージを表示する（ステップＳＴ９）。制御部２３は、印刷制御データに基づく印刷処理を実行することなく、その制御を終了する。ユーザは、この警告のメッセージに基づいて、ディスク４の表裏を誤ってプリンタ２に装着していることを知ることができる。また、ユーザは、ディスク４を裏返して、印刷をすることができる。
【００７７】
以上のように、この実施の形態１の印刷システムでは、プリンタ２の制御部２３は、印刷制御データを取得したら、その印刷制御データに基づく印刷手段による印刷を開始する前に、プリンタ２に、印刷可能なディスク４Ａの印刷面が正しく装着されているか否かを判断する。
【００７８】
そして、プリンタ２に、ディスク４Ａの印刷可能な印刷面が正しく配置されていない場合には、制御部２３は、その旨の警告をした後に、その装着されたディスク４に対する印刷を中止する。その結果、誤った印刷によるディスク４のインク汚染、印刷に使用したディスク搬送トレイ１１やプリンタ２の内部のインク汚染を防止することができる。
【００７９】
また、反射式光学センサ１８による検出レベルが、つや消しの白色のインク受容層５５が形成された印刷面による検出レベル（つまり、第一の閾値Ｔｈ１以下）であると、制御部２３は、プリンタ２に装着されたディスク４に対する印刷を実行する。
【００８０】
また、この実施の形態１の印刷システムでは、キャリッジ１４に設けられ、プリンタ２に装着されたディスク４の中心位置検出に用いる反射式光学センサ１８を用いて、プリンタ２に、印刷可能なディスク４Ａの印刷面が正しく配置されているか否かを検出する。これにより、プリンタ２に装着されている印刷対象のディスク４について、印刷される面の特性を簡単な構成で検出することができる。
【００８１】
また、この実施の形態１の印刷システムでは、反射式光学センサ１８により読み取った受光レベルのデータに基づいて、第一の閾値Ｔｈ１以下であるか否かを判断し、さらに、第二の閾値Ｔｈ２であるか否かを判断し、それぞれの判断結果に応じた処理を実行している。つまり、この実施の形態１の印刷システムは、プリンタ２に装着されたディスク４の印刷される面が、印刷可能なディスク４Ａの印刷面、ディスク４のデータ記録面、および印刷可能でないディスク４Ｂのラベル面のいずれであるか否かを判断し、それぞれの判断に応じた処理を実行する。
【００８２】
なお、この実施の形態１では、プリンタ２の制御部２３は、印刷制御データを受信したら、その印刷制御データに基づく印刷を開始する前に、印刷可能なディスク４Ａの印刷面が正しく装着されているか否かを判断する。この他にもたとえば、制御部２３は、以下のように、ディスク２の装着時に、プリンタ２に、印刷可能なディスク４Ａの印刷面が正しく配置されているか否かを判断するようにしてもよい。
【００８３】
図１１は、図１の制御部２３の他の動作を示すフローチャートである。制御部２３は、操作パネル２４の図示外の操作手段としての装着ボタンが操作されたら（ステップＳＴ１１）、プリンタ２に装着されているディスク４の印刷される面の表面の読み取りを開始する（ステップＳＴ２）。このステップＳＴ２以降の各ステップは、図７に示す同名のステップと同様のものであり、同一のステップ番号を付して説明を省略する。この変形例の場合、制御部２３は、プリンタ２にディスク４を装着する時に印刷可能なディスク４Ａの印刷面が正しく装着されるか否かを判断するので、その後に印刷制御データを受信したときには、すぐに印刷処理を開始することができる。
【００８４】
実施の形態２．
実施の形態２に係る印刷システムは、ディスクに付されているマークに基づいて、プリンタ２に、印刷可能なディスクの印刷面が正しく配置されているか否かを特定するようにしたものである。
【００８５】
図１２は、本発明の実施の形態２に係る印刷システムを示すブロック図である。実施の形態２では、プリンタ２の制御部１０１によるディスク４の読み取り以降の判断処理が、実施の形態１とは異なる。制御部１０１は、印刷手段、判断手段、印刷中止手段および警告手段として機能する。これ以外の構成要素は、実施の形態１の同名の構成要素と同じ機能を有するものであり、実施の形態１と同一の符号を付して説明を省略する。
【００８６】
図１３は、印刷可能なディスク４Ｃの一例を示す図である。図１３（Ａ）は、印刷可能なディスク４Ｃの印刷面を示す。図１３（Ｂ）は、印刷可能なディスク４Ｃのデータ記録面を示す。
【００８７】
図１３の印刷可能なディスク４Ｃは、つや消しの白色の材料からなるインク受容層５５を有する。また、図１３の印刷可能なディスク４Ｃは、チャッキング孔５２からインク受容層５５までの間の透明な部位に、円環マーク１１２が形成される。なお、印刷可能でないディスク４Ｂには、図３に示すように、この円環マーク１１２は形成されていない。あるいは、円環マーク１１２とは異なる範囲、幅などの円環マークが形成される。
【００８８】
円環マーク１１２は、それが形成されているディスクが印刷可能なものであることを示す。円環マーク１１２は、トレイ１１の表面とは異なる色（つまり、反射率）を有する。たとえば、円環マーク１１２は、基板５１の上に、インク受容層５５と同じ材料で形成される。円環マーク１１２は、チャッキング孔５２と略同心に形成される。このような円環マーク１１２は、たとえばインク受容層５５と同様の印刷処理などによりディスク４に形成すればよい。
【００８９】
次に、実施の形態２に係る印刷システムの動作を説明する。以下の説明では、ディスク４に対して印刷する場合を例に動作を説明する。
【００９０】
コンピュータ１の印刷アプリケーション部３５によるディスクへの印刷指示に基づいて、プリンタドライバ部３６は、ディスクの印刷領域のサイズの印刷イメージを印刷するための印刷制御データを生成し、コンピュータ１の通信Ｉ／Ｆ３３からプリンタ２の通信Ｉ／Ｆ２１へ送信させる。通信Ｉ／Ｆ２１は、受信した印刷制御データを、通信バッファ２２に保存する。
【００９１】
図１４は、図１２のプリンタ２の制御部１０１の動作を示すフローチャートである。
【００９２】
通信バッファ２２に印刷制御データが保存されると、プリンタ２の制御部１０１は、印刷制御データに基づく印刷処理を開始し（ステップＳＴ１）、プリンタ２に装着されたディスク４の読み取り処理を実行する（ステップＳＴ２）。
【００９３】
図１５は、反射式光学センサ１８が、図１３（Ａ）の印刷可能なディスク４Ｃの印刷面を径方向に走査した場合の受光レベルの分布を示す図である。図１６は、図１３（Ｂ）の印刷可能なディスク４Ｃのデータ記録面を径方向に走査した場合の受光レベルの分布を示す図である。図１５に示すように、図１３（Ａ）の印刷範囲（Ｐ１〜Ｐ２の範囲と、Ｐ３〜Ｐ４の範囲と）の間には、円環マーク１１２の反射率に基づくレベルのデータが存在する。
【００９４】
制御部１０１は、蓄積した出力レベルに基づいて、ディスク４Ｃに予め形成される円環マーク１１２が読み取られたか否かを判断する（ステップＳＴ２１）。具体的にはたとえば、制御部１０１は、印刷範囲内に相当するデータの受光レベルと略同じレベルのデータが、２つの印刷範囲（Ｐ１〜Ｐ２の範囲と、Ｐ３〜Ｐ４の範囲と）の間に検出されているか否かを判断する。
【００９５】
そして、図１５に示すように、２つの印刷範囲の間に、印刷範囲内に相当するデータの受光レベルと略同じレベルのデータがある場合、制御部１０１は、円環マーク１１２が検出されたと判断し、印刷制御データに基づく印刷処理を実行する（ステップＳＴ４〜ＳＴ６）。これにより、図１３（Ａ）に示す印刷可能なディスク４Ｃの印刷面には、印刷が実行される。図１３（Ａ）に示すつや消しの白色のインク受容層５５に、印刷イメージに基づく画像が印刷される。
【００９６】
一方、ステップＳＴ２１において２つの印刷範囲の間に、印刷範囲内に相当するデータの受光レベルと略同じレベルのデータがないと判断すると、制御部１０１は、プリンタ２に装着されているディスク４が印刷可能なものではない旨のメッセージを生成し、液晶モニタ２５に表示させる（ステップＳＴ８）。制御部１０１は、印刷制御データに基づく印刷処理を実行することなく、その制御を終了する。
【００９７】
以上のように、この実施の形態２の印刷システムでは、プリンタ２の制御部１０１は、円環マーク１１２が検出される場合には、印刷制御データに基づく印刷を実行し、検出されない場合には、印刷を止める。これにより、プリンタ２は、円環マーク１１２を有する印刷可能なディスク４Ｃに対して、印刷をすることができる。
【００９８】
なお、この実施の形態２では、上述のように、ディスク４が印刷可能かものであるか否かを円環マーク１１２の検出の有無に基づいて判断しているが、その代わりに、一次元または二次元コードといったマークをディスク４に付し、そのマークが検出されるか否かに基づいて判断するようにしてもよい。
【００９９】
実施の形態３．
実施の形態３に係る印刷システムは、ディスクの印刷範囲の検出と、ディスクに付されているマークの検出とに基づいて、プリンタ２に、印刷可能なディスクの印刷面が正しく配置されているか否かを特定するようにしたものである。
【０１００】
図１７は、本発明の実施の形態３に係る印刷システムを示すブロック図である。実施の形態３では、プリンタ２の制御部１２１によるディスク４の読み取り以降の判断処理が、実施の形態１とは異なる。制御部１２１は、印刷手段、判断手段、印刷中止手段および警告手段として機能する。これ以外の構成要素は、実施の形態１の同名の構成要素と同じ機能を有するものであり、実施の形態１と同一の符号を付して説明を省略する。
【０１０１】
図１８は、印刷可能なディスク４Ｄの一例を示す図である。図１８（Ａ）は、印刷可能なディスク４Ｄの印刷面を示す。図１８（Ｂ）は、印刷可能なディスク４Ｄのデータ記録面を示す。
【０１０２】
図１８の印刷可能なディスク４Ｄは、銀色の光沢のある材料からなるインク受容層１３１を有する。また、図１３の印刷可能なディスク４Ｄは、チャッキング孔５２からインク受容層１３１までの間の透明な部位に、円環マーク１３２が形成される。なお、印刷可能でないディスク４Ｂには、図３に示すように、この円環マーク１３２は形成されていない。あるいは、この円環マーク１３２とは異なる範囲、幅などの円環マークが形成される。
【０１０３】
円環マーク１３２は、それが形成されているディスクが印刷可能なものであることを示す。円環マーク１３２は、基板５１の上に、ディスク搬送トレイ１１のトレイ本体６１と同様の黒色の材料からなる層と、インク受容層１３１と同じ材料からなる層とが積層された２層構造を有する。つまり、円環マーク１３２は、反射率の異なる２層を重畳して形成される。そのため、円環マーク１３２を、図１８（Ａ）の印刷面側から見たときには、インク受容層１３１と同様に銀色に見え、図１８（Ｂ）のデータ記録面側から見たときには、黒色に見える。なお、円環マーク１３２は、チャッキング孔５２と略同心に形成される。このような２層構造の円環マーク１３２は、たとえばインク受容層１３１と同様の印刷処理などによりディスク４に形成すればよい。
【０１０４】
次に、実施の形態３に係る印刷システムの動作を説明する。以下の説明では、ディスク４に対して印刷する場合を例に動作を説明する。
【０１０５】
コンピュータ１の印刷アプリケーション部３５によるディスクへの印刷指示に基づいて、プリンタドライバ部３６は、ディスクの印刷領域のサイズの印刷イメージを印刷するための印刷制御データを生成し、コンピュータ１の通信Ｉ／Ｆ３３からプリンタ２の通信Ｉ／Ｆ２１へ送信させる。通信Ｉ／Ｆ２１は、受信した印刷制御データを、通信バッファ２２に保存する。
【０１０６】
図１９は、図１２のプリンタ２の制御部１２１の動作を示すフローチャートである。
【０１０７】
通信バッファ２２に印刷制御データが保存されると、プリンタ２の制御部１２１は、印刷制御データに基づく印刷処理を開始し（ステップＳＴ１）、プリンタ２に装着されたディスク４の読み取り処理を実行する（ステップＳＴ２）。
【０１０８】
図２０は、図１８（Ａ）の印刷可能なディスク４Ｄの印刷面を走査した場合の受光レベルの分布を示す図である。図２１は、図１８（Ｂ）の印刷可能なディスク４Ｄのデータ記録面を走査した場合の受光レベルの分布を示す図である。図２０に示すように、図１８（Ａ）の印刷範囲（Ｐ１〜Ｐ２の範囲と、Ｐ３〜Ｐ４の範囲）での受光レベルは、銀色の光沢のあるインク受容層１３１による反射率によって、ディスク４Ｄのデータ記録領域５４の受光レベルと同様の、高いレベルである。
【０１０９】
制御部１２１は、まず、蓄積した出力レベルにおいて印刷範囲内に相当するデータを用いて、そのデータの受光レベルが第一の閾値Ｔｈ１以下であるか否かを判断する（ステップＳＴ３）。
【０１１０】
蓄積した出力レベルにおいて印刷範囲内に相当するデータの受光レベルが第一の閾値Ｔｈ１以下である場合、制御部１２１は、プリンタ２に、印刷可能なディスク４Ａの印刷面が正しく配置されていると判断し、受信した印刷制御データに基づく印刷を実行する（ステップＳＴ４〜ＳＴ６）。この印刷処理により、つや消しの白色のインク受容層５５には、印刷イメージに従ってインクが付着し、定着する。
【０１１１】
一方、ステップＳＴ３において、プリンタ２に装着されたディスク４の印刷される面が、ディスク４Ａの印刷可能な印刷面ではないと判断された場合、制御部１２１は、さらに、そのデータの受光レベルが第二の閾値Ｔｈ２以下であるか否かを判断する（ステップＳＴ７）。印刷範囲内に相当するデータの受光レベルが第二の閾値Ｔｈ２以下である場合、制御部１２１は、プリンタ２に装着されているディスク４が印刷可能なものではない旨のメッセージを生成し、液晶モニタ２５に表示させる（ステップＳＴ８）。制御部１２１は、印刷制御データに基づく印刷処理を実行することなく、その制御を終了する。
【０１１２】
また、ステップＳＴ７において、印刷範囲内に相当するデータの受光レベルが第二の閾値Ｔｈ２以下ではない場合、制御部１２１は、さらに、ディスク４Ｄに予め形成される円環マーク１３２が読み取れたか否かを判断する（ステップＳＴ３１）。具体的にはたとえば、制御部１２１は、印刷範囲内に相当するデータの受光レベルと略同じレベルのデータが、２つの印刷範囲（Ｐ１〜Ｐ２の範囲と、Ｐ３〜Ｐ４の範囲と）の間に検出されているか否かを判断する。
【０１１３】
そして、２つの印刷範囲の間に、印刷範囲内に相当するデータの受光レベルと略同じレベルのデータがある場合、制御部１２１は、ディスク４Ｄに予め形成される円環マーク１３２が検出されたと判断し、印刷制御データに基づく印刷処理を実行する（ステップＳＴ４〜ＳＴ６）。これにより、図１８（Ａ）に示す銀色のつやのあるインク受容層１３１に、印刷イメージに基づく画像が印刷される。
【０１１４】
２つの印刷範囲同士の間に、印刷範囲内に相当するデータの受光レベルと略同じレベルのデータがない場合、制御部１２１は、ディスク４Ｄに予め形成される円環マーク１３２が検出されないと判断し、プリンタ２に装着されているディスク４の表裏が逆である旨のメッセージを生成し、液晶モニタ２５に表示させる（ステップＳＴ９）。制御部１２１は、印刷制御データに基づく印刷処理を実行することなく、その制御を終了する。
【０１１５】
以上のように、この実施の形態３の印刷システムでは、プリンタ２の制御部１２１は、検出したディスク４の印刷範囲のデータと閾値Ｔｈ１，Ｔｈ２との比較に基づいて、印刷可能なディスク４が正しく設置されていると判断しない場合には、さらに、印刷可能を示す円環マーク１３２の検出の有無に基づいて、印刷可能であるか否かを判断する。そして、制御部１２１は、円環マーク１３２が検出されている場合には、印刷制御データに基づく印刷を実行し、検出されない場合には、印刷を止める。これにより、プリンタ２は、銀色のつやのあるインク受容層１３１を有する印刷可能なディスク４Ｄに対して、印刷をすることができる。
【０１１６】
なお、この実施の形態３では、上述のように、円環マーク１３２からディスク４が印刷可能か否かを判断しているが、その代わりに、一次元または二次元コードといったマークをディスク４に付し、そのマークが検出されるか否かに基づいて判断するようにしてもよい。
【０１１７】
以上の各実施の形態は、本発明の好適な実施の形態の例であるが、本発明は、これに限定されるものではなく、その要旨を逸脱しない範囲において種々の変形、変更が可能である。
【０１１８】
たとえば上記各実施の形態では、プリンタ２の制御部２３，１０１，１２１は、印刷制御データを受信してから、それに基づく印刷を開始する前に、プリンタ２に、印刷可能なディスク４の印刷面が正しく設置されているか否かを判断している。この他にもたとえば、制御部２３，１０１は、印刷制御データに基づく印刷を開始した後に、その印刷処理とともにそのディスクの設置判断をするようにしてもよい。これにより、たとえば印刷可能でないディスク４Ｂに対して、多量のインクを吐出してしまうことを防止でき、ディスク４などのインク汚染を効果的に抑制することができる。
【０１１９】
上記各実施の形態では、コンピュータ１からプリンタ２へ印刷制御データを送信している。この他にもたとえば、上述の実施の形態１，２におけるプリンタドライバ部３６と同一のものを、プリンタ２内で画像ファイルから印刷制御データを生成するＰｉｃｔＢｒｉｄｇｅなどのダイレクト印刷用プリンタに内蔵させてもよい。ダイレクト印刷用プリンタは、ＤＳＣやメモリカードを接続可能なインタフェースを有する。
【０１２０】
上記各実施の形態では、印刷システムは、コンピュータ１とプリンタ２とで構成されている。この他にもたとえば、印刷システムは、同一筐体内に、プリンタ機能および印刷制御データ生成機能を有する所謂複合機などで構成されていてもよい。
【０１２１】
上記実施の形態２および３では、印刷可能なディスク４Ｃ，４Ｄに円環マーク１１２，１３２を形成しているが、印刷可能でないディスク４Ｂに、円環マークを形成するようにしてもよい。
【産業上の利用可能性】
【０１２２】
本発明は、ディスク型記録媒体の印刷面にユーザ所望の画像などを印刷する印刷システムなどに利用することができる。
【図面の簡単な説明】
【０１２３】
【図１】本発明の実施の形態１に係る印刷システムを示すブロック図である。
【図２】印刷可能なディスクの一例を示す図である。
【図３】印刷可能でないディスクのラベル面の一例を示す図である。
【図４】図１のディスク搬送トレイを示す正面図である。
【図５】図１のコンピュータのハードウェア構成を示すブロック図である。
【図６】図１のモニタに表示される印刷条件の設定画面である。
【図７】図１の制御部の動作を示すフローチャートである。
【図８】図２（Ａ）の印刷面の受光レベルの分布を示す図である。
【図９】図２（Ｂ）のデータ記録面の受光レベルの分布を示す図である。
【図１０】図３のラベル面の受光レベルの分布を示す図である。
【図１１】図１の制御部の他の動作を示すフローチャートである。
【図１２】本発明の実施の形態２に係る印刷システムを示すブロック図である。
【図１３】印刷可能なディスクの一例を示す図である。
【図１４】図１２の制御部の動作を示すフローチャートである。
【図１５】図１３（Ａ）の印刷面の受光レベルの分布を示す図である。
【図１６】図１３（Ｂ）のデータ記録面の受光レベルの分布を示す図である。
【図１７】本発明の実施の形態３に係る印刷システムを示すブロック図である。
【図１８】印刷可能なディスクの一例を示す図である。
【図１９】図１７の制御部の動作を示すフローチャートである。
【図２０】図１８（Ａ）の印刷面の受光レベルの分布を示す図である。
【図２１】図１８（Ｂ）のデータ記録面の受光レベルの分布を示す図である。
【符号の説明】
【０１２４】
１  コンピュータ（印刷制御データ生成装置）、２  プリンタ（印刷装置）、４  ディスク（ディスク型記録媒体）、４Ａ，４Ｃ，４Ｄ  印刷可能なディスク型記録媒体、４Ｂ  印刷可能でないディスク型記録媒体、１８  反射式光学センサ（光学センサ）、２３，１０１，１２１  制御部（印刷手段、判断手段、印刷中止手段、警告手段）、５１  基板、５２  チャッキング孔、５５，１３１  インク受容層、１１２，１３２  円環マーク（マーク）
【図１】
2006255906.tif 000003
【図２】
2006255906.tif 000004
【図３】
2006255906.tif 000005
【図４】
2006255906.tif 000006
【図５】
2006255906.tif 000007
【図６】
2006255906.tif 000008
【図７】
2006255906.tif 000009
【図８】
2006255906.tif 000010
【図９】
2006255906.tif 000011
【図１０】
2006255906.tif 000012
【図１１】
2006255906.tif 000013
【図１２】
2006255906.tif 000014
【図１３】
2006255906.tif 000015
【図１４】
2006255906.tif 000016
【図１５】
2006255906.tif 000017
【図１６】
2006255906.tif 000018
【図１７】
2006255906.tif 000019
【図１８】
2006255906.tif 000020
【図１９】
2006255906.tif 000021
【図２０】
2006255906.tif 000022
【図２１】
2006255906.tif 000023